(57)【要約】【課題】受信側が、記録メディアにＤＣＦ形式で受信画像データを書き込んだ場合でも、受信側のユーザはその画像データが撮影画像か受信画像かを判別することができる情報通信装置を提供すること。【解決手段】通信回線経由でカラー画像を送受信可能な情報通信装置として、着脱可能な記録メディアにデジタルデータを読み書きする手段と、データを記録するメモリ手段と、画像データ受信時に、その通信に関する受信情報を得る手段・受信画像データを前記記録メディアに記録する手段と、前記受信画像データを受信した際の受信情報を記録メディアに記録した同受信画像データと関連付けられる形で前記メモリ手段に保存する手段と、を有することを特徴とする。【選択図】図１
2006086842.tif 000002
【特許請求の範囲】
【請求項１】
通信回線経由でカラー画像を送受信可能な情報通信装置であって、
着脱可能な記録メディアにデジタルデータを読み書きする手段と、データを記録するメモリ手段と、画像データ受信時に、その通信に関する受信情報を得る手段・受信画像データを前記記録メディアに記録する手段と、前記受信画像データを受信した際の受信情報を記録メディアに記録した同受信画像データと関連付けられる形で前記メモリ手段に保存する手段と、を有することを特徴とする情報通信装置。
【請求項２】
ビットマップ画像を表示可能な表示手段と、記録メディア内の画像データの内容を前記表示画面にプレビュー表示する手段・記録メディア内のある画像データに対し、その画像データに関連付けられて前記メモリ手段に保存された前記受信情報が存在すれば、前記画像データを前記表示手段にプレビュー表示すると共に、前記受信情報の内容を前記表示画面に表示する手段を有することを特徴とする請求項１記載の情報通信装置。
【請求項３】
記録メディア内の画像データをカラー印刷する手段と、記録メディア内のある画像データに対し、その画像データに関連付けられて前記メモリ手段に保存された前記受信情報が存在すれば、同受信情報の内容を前記画像データと共に出力用紙に印刷する手段を有することを特徴とする請求項１又は２記載の情報通信装置。
【請求項４】
前記受信情報とは受信時刻情報であることを特徴とする請求項１〜３の何れかに記載の情報通信装置。
【請求項５】
前記受信情報とは送信者電話番号であることを特徴とする請求項１〜３の何れかに記載の情報通信装置。
【請求項６】
前記受信情報とは送信者名であることを特徴とする請求項１〜３の何れかに記載の情報通信装置。
【発明の詳細な説明】
【技術分野】
【０００１】
本発明は、電話回線等の通信路を介してカラー画像電子データを送受信するファクシミリ装置等の情報通信装置に関する。
【背景技術】
【０００２】
従来のファクシミリ装置においては、カラー情報の送信はＩＴＵ−Ｔ勧告Ｔ．８２で規定されているＪＰＥＧ符号化を用い、ＩＴＵ−Ｔ勧告Ｔ．４２の色空間ＬａｂでＪＰＥＧ画像を作成して送信することとなっていた。
【０００３】
しかし、特許文献１において、送信側の機器より送信されるカラー情報の色空間及び符号化方式に応じて、受信側の機器がカラー情報の処理方法を切り替えるという手法が開示されている。この手法により、送信側は、受信側が対応していれば、カラー画像データを従来のＬａｂ色空間によるＪＰＥＧデータ( 以降、Ｌａｂ−ｊｐｅｇと呼ぶ) ではなく、デジタルカメラ等の機器で広く用いられている、ＹＣｂＣｒ色空間にて表現されたＪＰＥＧデータ( 以降、ＹＣＣ−ｊｐｅｇと呼ぶ) を、ＹＣｂＣｒ→Ｌａｂの色変換の過程で画像劣化させることなく送信することができる。
【０００４】
又、特許文献２において、カラーファクシミリの受信画像（Ｌａｂ−ｊｐｅｇ）をＹＣＣ−ｊｐｅｇに変換して、該ファクシミリに装着されている記録メディアにＤＣＦ形式で書き込む技術も開示されている。尚、ＤＣＦ（Design-rule for Camera File system）とは、ＣＦカード等の記録メディアに、画像ファイルをどのような構成（ファイル名、ツリー構造等）で記録するかを定めた規格であり、デジタルカメラ等で広く採用されている。
【０００５】
カラーファクシミリの中には、キヤノン社製ＣＦ−Ｈ３０ＣＬ等のように、デジタルカメラ等によりＤＣＦ形式で記録メディアに書き込まれた画像データをカラー印刷可能なものが存在するが、上記のように受信画像データをデジタルカメラと同じＤＶＦ形式で記録メディアに書き込むことにより、デジタルカメラで撮影して記録メディアに書き込んだ画像も、電話回線経由で受信して記録メディアに書き込んだ画像も、同様の操作で印刷することができる。
【０００６】
【特許文献１】特開２００３−２２４７２９号公報
【特許文献２】特開２００３−０１８３３９号公報
【発明の開示】
【発明が解決しようとする課題】
【０００７】
特許文献２（特開２００３−０１８３３９号公報）において、受信側のファクシミリが、受信画像を記録メディアにＤＣＦ形式で書き込むとした場合、その記録メディアがデジタルカメラと共用されているものであると、ファクシミリとデジタルカメラのどちらもＤＣＦ形式で記録メディアに書き込むために、後からでは記録メディア内の各画像がデジタルカメラで記録したものなのか、他人から電話回線経由で送られてきたものなのかを、受信側ファクシミリのユーザが見分けることができないという問題がある。
【０００８】
更に、その画像が電話回線経由で送られてきたものである場合、受信側ファクシミリのユーザがナンバーディスプレイに加入していれば、その画像の送信者の電話番号を特定できるし、その情報から送信者の名前を特定することもできるが、ＤＣＦ規格はそれらの情報を格納するようにはできていないため、受信画像を記録メディアに書き込んだ時点でそれらの情報は失われ、後からその受信画像を確認・印刷する際に、その画像がいつ誰から送られたものであるのかが全く分からなくなってしまうという問題もある。
【０００９】
本発明は上記問題に鑑みてなされたもので、その目的とする処は、受信側が、記録メディアにＤＣＦ形式で受信画像データを書き込んだ場合でも、受信側のユーザはその画像データが撮影画像か受信画像かを判別することができる情報通信装置を提供することにある。
【課題を解決するための手段】
【００１０】
本発明では、上記の課題を解決するために、受信側ファクシミリＢは、送信側ファクシミリＡからの呼を受けつけた際に、先ず、その呼に関する受信情報を得る。そして、その呼がカラー画像通信であった場合には、受信し終わった後に、受信画像データを、Ｂに装着されている記録メディアにＤＣＦ形式で書き込むと同時に、該受信情報を、記録メディアに書き込んだ該受信画像データに関連付けられる形で、受信情報テーブルのエントリとして装置のメモリに保存する。
【００１１】
装置ＢのユーザＣが、後から装置Ｂを操作して、記録メディア内の各画像データを閲覧したり印刷したりする際には、ユーザＣが各画像データを指定した際に、装置Ｂのメモリにある受信情報テーブルを検索して、指定画像に関する該受信情報が存在するか否かを判断し、存在する場合は装置Ｂの表示画面にその内容を表示することで、Ｃは自分の指定した画像が撮影画像か受信画像であるかを区別することができ、受信画像であった場合は受信時刻等の受信情報も知ることができる。或は、Ｃが記録メディア内の画像データを指定して印刷する際に、指定された画像データに関連した受信情報が装置Ｂのメモリの受信情報テーブルに存在すれば、該受信情報を該画像データと共に印刷することで同様の効果を得ることができる。
【００１２】
尚、ここで言う受信情報とは、例えば以下のようなものである。
・受信側装置がその画像データを受信した時刻
・送信者電話番号
・送信者名称
【発明の効果】
【００１３】
本発明によれば、受信側ファクシミリが、記録メディアにＤＣＦ形式で受信画像データを書き込んだ場合でも、受信側ファクシミリのユーザはその画像データが撮影画像か受信画像かを判別することができ、受信画像の場合には、ユーザが、受信時刻や送信者電話番号等の、その画像に関する受信情報を確認することができる。
【発明を実施するための最良の形態】
【００１４】
以下に本発明の実施の形態を添付図面に基づいて説明する。
【００１５】
図１は本実施の形態におけるファクシミリ装置のブロック図である。
【００１６】
図１において、１０１は、原画像をスキャンして、ラスタ順次のデジタルＲＧＢ画像データに変換する画像読み取り部、１０２は画像読み取り部１０１や後述のモデム１０５経由で受信した画像データを一時的に格納したり、ＣＰＵの扱う各種情報を格納したりするメモリ、１０３はシステム全体を制御するＣＰＵである。又、１０４はモデム１０５経由で受信した画像データや画像読み取り部１０１で読み取った画像データをカラー又はモノクロで印字するプリンタ、１０５は通常の電話回線等と接続されて、他のファクシミリ端末等との間で画像データを送受信するモデム装置である。
【００１７】
１０６はデジタルデータを記録することのできる記録メディアである。ＣＦカードやＳＤカード等が存在する。この記録メディアは汎用のもので、本ファクシミリ装置とは無関係なデジタルカメラと共用することができる。
【００１８】
１０７は記録メディア１０６を装着するスロットである。このスロット経由で、ＣＰＵ１０３は記録メディア１０６に対してデジタルデータの読み書きを行うことができる。１０８はビットマップ画像データの表示が可能な表示部である。
【００１９】
以下、図２のフローチャートを用いて、本実施の形態のファクシミリ装置Ｂが、送信側ファクシミリ装置Ａから通信回線経由でカラー画像データを受信して、記録メディア１０６にそのデータを書き込むまでのＢの動作の詳細を説明する。
Ｓ２０１：装置Ｂが、装置Ａからの呼を受け付ける。
Ｓ２０２：装置ＢのＣＰＵが、この呼に対して受信時刻をメモリ１０２に格納し、更に、可能ならば送信者電話番号や送信者名を得る。これらを、この呼に関する受信情報とする。装置ＢのユーザＣがナンバーディスプレイを使用していれば、装置Ａの電話番号を得ることができる。又、同じくＣがネームディスプレイを使用していたり、装置Ｂの電話帳に該電話番号が登録してあれば、電話番号から電話帳を検索して装置Ａの使用者名を得ることができる。その各々の手法の詳細に関しては公知なのでここでは述べない。
Ｓ２０３：装置Ｂが、装置Ａから送信される画像データを受信する。受信した画像データは一旦メモリ１０２に格納される。
Ｓ２０４：受信が正常に終了すると、ＣＰＵ１０３は、ＤＣＦ形式に従って、記録メディア１０６に受信画像データを新たにファイルとして書き込む。
Ｓ２０５：この受信に関する受信情報テーブルのエントリを、Ｓ２０４で記録メディアに書き込んだ際のファイル名を含めて新規作成し、メモリ１０２に保存する。受信情報テーブルは、下表のように、ＩＤ、記録メディア記録時のファイル名、受信時刻、送信者電話番号、送信者名を項目として持つ表形式データであり、画像データを受信して記録メディアに書き込むごとに新たなエントリが作成される。
【００２０】
【表１】
2006086842.tif 000003
上表のうち、ＩＤは、この表に新たなエントリができるごとに付けられるＩＤ受信時刻は、本装置がこの呼を受信した時刻ファイル名は、この呼での
受信画像データを記録メディアに書き込んだ際のファイル名送信者電話番号は、ナンバーディスプレイから得られる、この呼の発信者の電話番号送信者名は、ネームディスプレイから、又は上記送信者電話番号から装置Ｂの電話帳を検索して得た送信者の名前を表す。
【００２１】
次に、図３のフローチャートを用いて、記録メディアに書き込まれている画像データの内容を本装置のユーザが印刷する際に、本発明におけるＣＰＵ１０３が動作するアルゴリズムについて説明する。
【００２２】
記録メディアには、本装置とは関係ないデジタルカメラで撮影してＤＣＦ形式で書き込んだ画像データと、本装置が電話回線経由で受信した画像データを図２のフローチャートに従ってＤＣＦ形式で書き込んだ画像データとが混在しているものとする。
Ｓ３０１：ユーザが該記録メディアを、本装置のスロット１０７に差し込む。
Ｓ３０２：ＣＰＵ１０３は記録メディアの挿入を検知し、記録メディアの内容をＤＣＦ形式に従って調べる。
Ｓ３０３：ＣＰＵ１０３は記録メディア内部の画像ファイルをＤＣＦ規格に従って番号でソートする。
Ｓ３０４：ＣＰＵ１０３は、未表示で、最も番号の若いファイルのファイル名を得る。これを注目画像ファイルとする。
Ｓ３０５：ＣＰＵ１０３は、メモリ１０２内に格納してある受信情報テーブルを注目画像ファイルのファイル名で検索して、注目画像ファイルに対応する受信情報のエントリを探す。該当の受信情報が存在すればＳ３０７へ、存在しなければＳ３０６へ進む。
Ｓ３０６：注目画像ファイルはデジタルカメラでの撮影画像である。ＣＰＵ１０３は、注目画像ファイルの画像データを図４（ａ）のように表示部１０８に表示し、次の操作に移る。Ｓ３１０へ。
Ｓ３０７：注目画像ファイルは本装置が通信回線から得た受信画像である。Ｓ３０８へ。
Ｓ３０８：ＣＰＵ１０３は、受信情報テーブルの該当エントリを解析し、送信元電話番号等の、注目画像ファイルに関する受信情報を得る。Ｓ３０９へ。
Ｓ３０９：ＣＰＵ１０３は、注目画像ファイルの画像データと、Ｓ３０８で得た受信情報とを合わせて、図４（ｂ）（受信者名が得られなかった場合は図４（ｃ））のように表示部１０８に表示し、次の操作に移る。Ｓ３１０へ。
Ｓ３１０：ユーザが操作部を見ると、受信情報表示の有無により注目画像ファイルが撮影画像か受信画像かを確認することができる。ユーザは、ここで注目画像ファイルを印刷するか、次の画像ファイルに移るかを選択する。前者ならＳ３１１へ、後者ならＳ３０４へ。
Ｓ３１１：この画像に関する受信情報がなければＳ３１２へ、なければＳ３１３へ。
Ｓ３１２：図５（ａ）のように出力用紙に注目画像だけを印刷して終了。
Ｓ３１３：図５（ｂ）のように出力用紙に注目画像と受信情報の内容を印刷して終了。
【００２３】
装置のＣＰＵ１０３が以上のような処理を行うことで、ユーザは、装置の表示画面での画像確認時には、装置の表示画面に受信情報の内容が表示されていればその画像が受信画像であることを認識できる（受信情報がなければ撮影画像）し、画像印刷時には、出力用紙に注目画像と共に受信情報の内容が印刷されていれば、同様に受信画像であることを認識できる。
【図面の簡単な説明】
【００２４】
【図１】本発明に係る情報通信装置の構成を示すブロック図である。
【図２】本発明に係る情報通信装置が、画像データ受信時に、画像データを記録メディアに書き込み、受信情報を受信情報テーブルに格納するまでの処理内容を示すフローチャートである。
【図３】デジタルカメラによる撮影画像データと、本発明における装置で書き込まれた受信画像データが混在して書き込まれた記録メディアの内容を、ユーザが本発明における装置で確認・印刷する際に、装置のＣＰＵが行う処理内容を示すフローチャートである。
【図４】デジタルカメラによる撮影画像データと、本発明における装置で書き込まれた受信画像データが混在して書き込まれた記録メディアの内容を、ユーザが装置の表示部で確認する際の表示部の表示例を示す図である。
【図５】デジタルカメラによる撮影画像データと、本発明における装置で書き込まれた受信画像データが混在して書き込まれた記録メディアの内容を、ユーザが本発明における装置で印刷した際の印刷結果の例を示す図である。
【符号の説明】
【００２５】
１０１  画像読み取り部
１０２  メモリ
１０３  ＣＰＵ
１０４  プリンタ
１０５  モデム
１０６  記録メディア
１０７  スロット
１０８  表示部
【図１】
2006086842.tif 000004
【図２】
2006086842.tif 000005
【図３】
2006086842.tif 000006
【図４】
2006086842.tif 000007
【図５】
2006086842.tif 000008